(57)【特許請求の範囲】
【請求項１】
外部機器から供給されるデータを再生する再生部を有する電子機器において、
前記外部機器が外部からのコマンドの受付が可能か否かを確認する対応確認手段と、
前記対応確認手段による確認の結果、前記外部機器が外部からのコマンドを受付可能である場合に、前記再生部が再生中のデータを前記外部機器が供給しているか否かを示す供給信号に基づいて、前記外部機器が前記再生部の再生中のデータを供給する機器であるか否かを判定する判定手段と、
前記判定手段が、前記外部機器が前記再生部の再生中のデータを供給する機器ではないと判定した場合、前記外部機器の電源状態を省電力状態に移行させる移行コマンドを前記外部機器に送信する送信手段と、を具備し、
前記送信手段は、前記判定手段によって前記外部機器が前記再生部の再生中のデータを供給する機器ではないと判定され、所定の期間が経過後、再度、前記判定手段によって前記外部機器が前記再生部の再生中のデータを供給する機器ではないと判定された場合、前記移行コマンドを前記外部機器に送信することを特徴とする電子機器。
【請求項２】
前記対応確認手段による確認の結果、前記外部機器が外部からのコマンドを受付可能である場合に、前記外部機器の電源状態を確認する状態確認手段をさらに具備し、
前記送信手段は、前記移行コマンドとして、前記状態確認手段によって確認された前記外部機器の電源状態よりも省電力となる電源状態に移行させるコマンドを前記外部機器に送信することを特徴とする請求項１記載の電子機器。
【請求項３】
前記送信手段は、前記外部機器が外部からのコマンドの受付が可能か否かを確認する問合信号をさらに送信し、
前記対応確認手段は、前記問合信号に応じて前記外部機器が送信した対応確認信号に基づいて、前記外部機器が外部からのコマンドの受付が可能か否かを確認すること
を特徴とする請求項１記載の電子機器。
【請求項４】
前記外部機器が前記再生部の再生するデータを供給する機器では無いと前記判定手段が判定した場合に前記外部機器を省電力状態に移行させるか否かを設定する設定手段をさらに具備し、
前記判定手段は、前記設定手段が前記外部機器を省電力状態に移行させると設定した状態にある場合に実行されることを特徴とする請求項１記載の電子機器。
【請求項５】
前記送信手段は、前記外部機器に前記再生部の再生中のデータを供給しているか否かを判定させる判定コマンドをさらに送信し、
前記判定手段は、前記判定コマンドに応じて前記外部機器が送信した前記供給信号に基づいて、前記判定を実行することを特徴とする請求項１記載の電子機器。
【請求項６】
第１の外部機器および第２の外部機器の夫々から供給されるデータを再生可能な再生部を有する電子機器において、
前記第１の外部機器および前記第２の外部機器が外部からのコマンドの受付が可能か否かを確認する対応確認手段と、
前記対応確認手段による確認の結果、前記第１の外部機器および前記第２の外部機器が外部からのコマンドを受付可能である場合に、前記第１の外部機器が前記再生部の再生中のデータを供給しているか否かを示す第１の供給信号、および、前記第２の外部機器が前記再生部の再生中のデータを供給しているか否かを示す第２の供給信号に基づいて、前記第１の外部機器が前記再生部の再生中のデータを供給する機器であるのか否か、および、前記第２の外部機器が前記再生部の再生中のデータを供給する機器であるのか否かを判定する判定手段と、
前記判定手段が、前記第１の外部機器および前記第２の外部機器のうち前記再生部の再生中のデータを供給する機器ではないと判定した機器に対して、その電源状態を省電力状態に移行させる移行コマンドを前記判定した機器に送信する送信手段と、を具備し、
前記送信手段は、前記判定手段によって前記第１の外部機器および前記第２の外部機器のなかで前記再生部の再生中のデータを供給する機器ではないと判定された機器がある場合、該判定後に所定の期間が経過後、再度、前記判定手段によって前記第１の外部機器および前記第２の外部機器のなかで前記再生部の再生中のデータを供給する機器があるか否かを判定し、前記再生部の再生中のデータを供給する機器ではないと再度判定された外部機器に対して、前記移行コマンドを送信することを特徴とする電子機器。
【請求項７】
前記対応確認手段による確認の結果、前記第２の外部機器が外部からのコマンドを受付可能である場合に、前記第２の外部機器の電源状態を確認する状態確認手段をさらに具備し、
前記送信手段は、前記移行コマンドとして、前記状態確認手段が確認した前記第２の外部機器の電源状態よりも省電力となる電源状態に移行させるコマンドを前記第２の外部機器に送信することを特徴とする請求項６記載の電子機器。
【請求項８】
前記送信手段は、前記第１の外部機器および前記第２の外部機器が外部からのコマンドの受付が可能か否かを確認する問合信号をさらに送信し、
前記対応確認手段は、前記問合信号に応じて前記第１の外部機器および前記第２の外部機器が送信した対応確認信号に基づいて、前記第１の外部機器および前記第２の外部機器が外部からのコマンドの受付が可能か否かを確認すること
を特徴とする請求項６記載の電子機器。
【請求項９】
前記第１の外部機器および前記第２の外部機器が前記再生部の再生するデータを供給する機器では無いと前記判定手段が所定の期間に亘って判定した場合に、前記第１の外部機器および前記第２の外部機器のうち前記判定された機器について省電力状態に移行させるか否かを設定する設定手段をさらに具備し、
前記判定手段は、前記設定手段によって、前記判定された機器について省電力状態に移行させると設定されている場合に前記判定を実行することを特徴とする請求項６記載の電子機器。
【請求項１０】
前記送信手段は、前記外部機器に前記再生部の再生中のデータを供給しているか否かを判定させる判定コマンドをさらに送信し、
前記判定手段は、前記判定コマンドに応じて前記第１の外部機器および前記第２の外部機器が送信した前記第１および第２の供給信号に基づいて、前記判定を実行することを特徴とする請求項６記載の電子機器。
【請求項１１】
外部機器から供給されるデータを再生可能な再生部を有する電子機器によって実行されるこの外部機器の消費電力制御方法において、
前記外部機器が外部からのコマンドの受付が可能か否かを確認する確認ステップと、
前記対応確認手段による確認の結果、前記外部機器が外部からのコマンドを受付可能である場合に、前記再生部が再生中のデータを前記外部機器が供給しているか否かを示す供給信号に基づいて、前記外部機器が前記再生部の再生中のデータを供給する機器であるか否かを判定する判定ステップと、
前記判定の結果、前記外部機器が前記再生部の再生中のデータを供給する機器ではないと判定された場合に、前記外部機器の電源状態を省電力状態に移行させる移行コマンドを前記外部機器に送信する送信ステップと、を有し、
前記送信ステップでは、前記外部機器が前記再生部の再生中のデータを供給する機器ではないと判定され、所定の期間が経過後、再度、前記外部機器が前記再生部の再生中のデータを供給する機器ではないと判定された場合に、前記移行コマンドを前記外部機器に送信することを特徴とする消費電力制御方法。
【請求項１２】
前記確認ステップでは、前記確認の結果、前記外部機器が外部からのコマンドを受付可能である場合に、前記外部機器の電源状態をさらに確認し、
前記送信ステップでは、前記移行コマンドとして、前記電源状態を確認された前記外部機器の電源状態よりも省電力となる電源状態に移行させるコマンドを前記外部機器に送信すること
を特徴とする請求項１１記載の消費電力制御方法。
【請求項１３】
前記外部機器が外部からのコマンドの受付が可能か否かを確認する問合信号を送信するステップをさらに有し、
前記確認ステップでは、前記問合信号に応じて前記外部機器が送信した対応確認信号に基づいて、前記外部機器が外部からのコマンドの受付が可能か否かを確認すること
を特徴とする請求項１１記載の消費電力制御方法。
【請求項１４】
前記外部機器が前記再生部の再生するデータを供給する機器では無いと所定の期間に亘って判定された場合に前記外部機器を省電力状態に移行させるか否かを設定するステップをさらに有し、
前記判定ステップでは、前記外部機器を省電力状態に移行させると設定した状態にある場合に、前記外部機器が前記再生部の再生中のデータを供給する機器であるか否かを判断すること
を特徴とする請求項１１記載の消費電力制御方法。
【請求項１５】
前記外部機器に前記再生部の再生中のデータを供給しているか否かを判定させる判定コマンドを送信するステップをさらに有し、
前記判定ステップでは、前記判定コマンドに応じて前記外部機器が送信した前記供給信号に基づいて、前記判定を実行すること
を特徴とする請求項１１記載の消費電力制御方法。
【発明の詳細な説明】
【技術分野】
【０００１】
本発明は、外部機器の消費電力制御を実行する電子機器、消費電力制御方法に関する。
【背景技術】
【０００２】
デジタル映像信号を伝送するための規格としてＤＶＩ（Digital Visual Interface）規格が普及している。近年、このＤＶＩをさらに改良したデジタル信号伝送規格であるＨＤＭＩ（High-Definition Multimedia Interface）規格が普及しつつある。
【０００３】
このＨＤＭＩ規格には、例えば、デジタル映像信号のブランキング期間にデジタル音声信号を多重化して音声伝送を行うことが可能であること、デジタル映像信号をＲ、Ｇ、Ｂ形式の他に色差（Ｙ、Ｃｂ、Ｃｒ）形式で伝送することが可能であること、電源制御等を実行するコマンドを伝送することが可能であること等、ＤＶＩ規格に無い種々の規格が盛り込まれている。
【０００４】
ＨＤＭＩを用いれば、例えばデジタルテレビにＨＤＭＩを介してＤＶＤプレーヤおよびＤＶＤレコーダを接続し、これらの機器の電源状態がオン状態において、ユーザによって選択されたＤＶＤプレーヤまたはＤＶＤレコーダにて再生された映像データをデジタルテレビに伝送しデジタルテレビにて鑑賞することが可能となる。
【０００５】
また、デジタルテレビはＨＤＭＩを介して例えばＤＶＤプレーヤの電源をオン／オフする、ＤＶＤプレーヤを再生／停止する、といった制御を行うことも可能である。
【０００６】
メインとなる１台の機器に複数台の機器をＨＤＭＩを介して接続し、メインとなる機器が複数台の機器を制御する技術として、ディスプレイ１００にチューナを有する複数台のセットトップボックスをＨＤＭＩで接続し、これらのセットトップボックスのリモコン操作をディスプレイに向けて行う、といった技術が開示されている。
【先行技術文献】
【特許文献】
【０００７】
【特許文献１】特開２００４−２０８２９０号公報（第１図）
【発明の概要】
【発明が解決しようとする課題】
【０００８】
特許文献１に開示されるような電子機器の接続形態では、ディスプレイに表示中の映像データを供給していないその他のセットトップボックの電源状態が例えば電源オン状態のままであると消費電力が無駄である。
【０００９】
そこで、本発明は、映像データを供給しない外部機器の省電力化を図る電子機器を提供することを目的とする。
【課題を解決するための手段】
【００１０】
上記目的を達成するために、実施形態に係る電子機器は、外部機器から供給されるデータを再生する再生部を有する電子機器において、前記外部機器が外部からのコマンドの受付が可能か否かを確認する対応確認手段と、前記対応確認手段による確認の結果、前記外部機器が外部からのコマンドを受付可能である場合に、前記再生部が再生中のデータを前記外部機器が供給しているか否かを示す供給信号に基づいて、前記外部機器が前記再生部の再生中のデータを供給する機器であるか否かを判定する判定手段と、前記判定手段が、前記外部機器が前記再生部の再生中のデータを供給する機器ではないと判定した場合、前記外部機器の電源状態を省電力状態に移行させる移行コマンドを前記外部機器に送信する送信手段と、を具備し、前記送信手段は、前記判定手段によって前記外部機器が前記再生部の再生中のデータを供給する機器ではないと判定され、所定の期間が経過後、再度、前記判定手段によって前記外部機器が前記再生部の再生中のデータを供給する機器ではないと判定された場合、前記移行コマンドを前記外部機器に送信することを特徴とする。
【００１１】
また、実施形態に係る電子機器は、第１の外部機器および第２の外部機器の夫々から供給されるデータを再生可能な再生部を有する電子機器において、前記第１の外部機器および前記第２の外部機器が外部からのコマンドの受付が可能か否かを確認する対応確認手段と、前記対応確認手段による確認の結果、前記第１の外部機器および前記第２の外部機器が外部からのコマンドを受付可能である場合に、前記第１の外部機器が前記再生部の再生中のデータを供給しているか否かを示す第１の供給信号、および、前記第２の外部機器が前記再生部の再生中のデータを供給しているか否かを示す第２の供給信号に基づいて、前記第１の外部機器が前記再生部の再生中のデータを供給する機器であるのか否か、および、前記第２の外部機器が前記再生部の再生中のデータを供給する機器であるのか否かを判定する判定手段と、前記判定手段が、前記第１の外部機器および前記第２の外部機器のうち前記再生部の再生中のデータを供給する機器ではないと判定した機器に対して、その電源状態を省電力状態に移行させる移行コマンドを前記判定した機器に送信する送信手段と、を具備し、前記送信手段は、前記判定手段によって前記第１の外部機器および前記第２の外部機器のなかで前記再生部の再生中のデータを供給する機器ではないと判定された機器がある場合、該判定後に所定の期間が経過後、再度、前記判定手段によって前記第１の外部機器および前記第２の外部機器のなかで前記再生部の再生中のデータを供給する機器があるか否かを判定し、前記再生部の再生中のデータを供給する機器ではないと再度判定された外部機器に対して、前記移行コマンドを送信することを特徴とする。
【００１２】
また、実施形態に係る消費電力制御方法は、外部機器から供給されるデータを再生可能な再生部を有する電子機器によって実行されるこの外部機器の消費電力制御方法において、前記外部機器が外部からのコマンドの受付が可能か否かを確認する確認ステップと、前記対応確認手段による確認の結果、前記外部機器が外部からのコマンドを受付可能である場合に、前記再生部が再生中のデータを前記外部機器が供給しているか否かを示す供給信号に基づいて、前記外部機器が前記再生部の再生中のデータを供給する機器であるか否かを判定する判定ステップと、前記判定の結果、前記外部機器が前記再生部の再生中のデータを供給する機器ではないと判定された場合に、前記外部機器の電源状態を省電力状態に移行させる移行コマンドを前記外部機器に送信する送信ステップと、を有し、前記送信ステップでは、前記外部機器が前記再生部の再生中のデータを供給する機器ではないと判定され、所定の期間が経過後、再度、前記外部機器が前記再生部の再生中のデータを供給する機器ではないと判定された場合に、前記移行コマンドを前記外部機器に送信することを特徴とする。
【発明の効果】
【００１３】
本発明によれば、映像データを供給しない電子機器の省電力化を図る電子機器システムを提供することが可能となる。
【図面の簡単な説明】
【００１４】
【図１】本発明にかかわる機器群の接続関係の一例を示す図。
【図２】図１にて示した機器群のハードウェア構成の一例を示す図。
【図３】テレビ１によるテレビ１に接続される機器の電源管理処理手順の一例について説明した流れ図。
【図４】機器を自動に電源オフするか否かを設定する画面の一例を示す図。
【図５】図３にて"処理１"として説明した処理をさらに詳細に説明した流れ図。
【図６】図３にて"処理２"として説明した処理をさらに詳細に説明した流れ図。
【図７】図３にて"処理３"として説明した処理をさらに詳細に説明した流れ図。
【図８】図３にて"処理４"として説明した処理をさらに詳細に説明した流れ図。
【図９】本発明にかかわる機器群の接続関係の他の実施形態について説明した図。
【図１０】図９にて示した機器群のハードウェア構成の一例を示す図。
【発明を実施するための形態】
【００１５】
図１は、本発明にかかわる機器群の接続関係の一例を示す図である。
【００１６】
テレビ１には、ＤＶＤプレーヤ２およびＤＶＤレコーダ３が接続される。テレビ１−ＤＶＤプレーヤ２間、テレビ１−ＤＶＤレコーダ３間は、ＨＤＭＩ（Ｈｉｇｈ−Ｄｅｆｉｎｉｔｉｏｎ  Ｍｕｔｉｍｅｄｉａ  Ｉｎｔｅｒｆａｃｅ）と称されるインタフェースで接続される。
【００１７】
ＨＤＭＩとは、映像データや音声データ、制御信号等を１本のケーブルを用いて機器間でやりとり可能とするインタフェースである。
【００１８】
例えば、テレビ１は、ＤＶＤプレーヤ２またはＤＶＤレコーダ３から伝送される映像データをＨＤＭＩケーブル４０，４１を介して受信する。また、テレビ１は、ＤＶＤプレーヤ２およびＤＶＤレコーダ３の電源Ｏｎ／Ｏｆｆといった制御するための制御信号をＨＤＭＩケーブル４０，４１を介してＤＶＤプレーヤ２およびＤＶＤレコーダ３に送信する。
【００１９】
図２は、図１にて示した機器群のハードウェア構成の一例を示す図である。
【００２０】
まず、テレビ１のハードウェア構成について説明する。コントローラ１は、テレビ１の主な動きを制御する。このコントローラ１は、リモコン１７から送信されるコマンドをデコードし、コマンド内容に応じて各制御を実行する。
【００２１】
チューナ１２は、チューナ１２に接続されるアンテナ１２ａを介して放送信号を受信する。例えばＭＰＥＧ２、ＭＰＥＧ４といったＭＰＥＧ形式でエンコードされたストリームデータを受信する。
【００２２】
コンポジット端子１４は、映像を構成する輝度信号、色信号を合成して同時に扱えるようにした複合映像信号をテレビ１に入力、テレビ１から出力するために設けられる端子である。
【００２３】
ＨＤＭＩ端子１５，１６は、音声、映像のデジタル信号および制御信号等をテレビ１に入力する、または、テレビ１に接続される機器に制御信号等を出力するために設けられる端子である。
【００２４】
チューナ１２、コンポジット端子１４およびＨＤＭＩ端子１５，１６は、それぞれスイッチ１３に接続される。スイッチ１３は、チューナ１２、コンポジット端子１４およびＨＤＭＩ端子１５，１６の中で使用されるデバイスと映像処理部１３とを接続する。
【００２５】
映像処理部１３は、スイッチ１３を介して、チューナ１２、コンポジット端子１４およびＨＤＭＩ端子１５，１６の何れかから入力された映像信号を処理する。映像処理部１３での処理によって生成された信号は、ディスプレイ１８に出力される。
【００２６】
ディスプレイ１８は、映像処理部１３から出力された信号に基づいて、映像データを表示する。
【００２７】
コントローラ１０には、ＯＳＤ（Ｏｎ  Ｓｃｒｅｅｎ  Ｄｉｓｐｌａｙ）処理回路１９が内蔵される。ＯＳＤ処理回路１９は、ディスプレイ１８の設定画面としてディスプレイ１８に表示されるデータを生成する回路である。ＯＳＤ処理回路１９にて生成されたデータは、映像処理部１１に送られる。
【００２８】
また、ＯＳＤ処理回路１９は、コントローラ１０にて生成される文字情報を含んだ設定画面等のデータを、映像処理部１３に送出する。
【００２９】
コントローラ１０は、ＨＤＭＩ端子１５，１６とＨＤＭＩ−ＣＥＣ（Consumer Electronics Control）ラインで接続される。
【００３０】
次に、ＤＶＤプレーヤ２のハードウェア構成について説明する。
【００３１】
コンポジット端子２２は、映像を構成する輝度信号、色信号を合成して同時に扱えるようにした複合映像信号をＤＶＤプレーヤ２に入力、ＤＶＤプレーヤ２から出力するために設けられる端子である。
【００３２】
ＨＤＭＩ端子２３は、音声、映像のデジタル信号および制御信号等をＤＶＤプレーヤ２に入力するために設けられる端子である。
【００３３】
コンポジット端子２２およびＨＤＭＩ端子２３は、それぞれスイッチ２４に接続される。スイッチ２４は、コンポジット端子２２およびＨＤＭＩ端子２３の中で使用される端子とコントローラ２０とを接続する。
【００３４】
コントローラ２０は、ＤＶＤプレーヤ２の主な動きを制御する。コントローラ２０にはＯＤＤ（OpticalDiskDrive）２１が接続されており、コントローラ２０は、ＯＤＤ２１から読み出されたデータを、コンポジット端子２２への出力に適するフォーマットに、または、ＨＤＭＩ端子２３への出力に適するフォーマットに処理する。
【００３５】
また、コントローラ２０は、スイッチ２４を介して、コンポジット端子２２およびＨＤＭＩ端子２３の何れかにコントローラ２０にて処理することで生成された映像信号を出力する。
【００３６】
次に、ＤＶＤレコーダ３のハードウェア構成について説明する。
【００３７】
コンポジット端子３４は、映像を構成する輝度信号、色信号を合成して同時に扱えるようにした複合映像信号をＤＶＤレコーダ３に入力、ＤＶＤレコーダ３から出力するために設けられる端子である。
【００３８】
ＨＤＭＩ端子３３は、音声、映像のデジタル信号および制御信号等をＤＶＤレコーダ３に入力するために設けられる端子である。
【００３９】
コンポジット端子３４およびＨＤＭＩ端子３３は、それぞれスイッチ３５に接続される。スイッチ３５は、コンポジット端子３４およびＨＤＭＩ端子３３の中で使用される端子とコントローラ３０とを接続する。
【００４０】
コントローラ３０は、ＤＶＤレコーダ３の主な動きを制御する。コントローラ３０にはＯＤＤ（Optical Disk Drive）３１およびＨＤＤ（Hard Disk Drive）３２が接続されている。
【００４１】
コントローラ３０は、ＯＤＤ３１から読み出されたデータを、コンポジット端子３４への出力に適するフォーマットに、または、ＨＤＭＩ端子３３への出力に適するフォーマットに処理する。
【００４２】
コントローラ３０は、端子を介してＤＶＤレコーダ３に入力された映像信号をＭＰＥＧ２、ＭＰＥＧ４といったフォーマットに処理し、ＨＤＤ３２に記憶する。
【００４３】
また、コントローラ３０は、スイッチ３５を介して、コンポジット端子３４およびＨＤＭＩ端子３３の何れかにコントローラ３０にて処理することで生成された映像信号を出力する。
【００４４】
テレビ１に設けられるＨＤＭＩ端子１５とＤＶＤプレーヤ２に設けられるＨＤＭＩ端子２３とはＨＤＭＩケーブル４０で接続される。ＨＤＭＩケーブル４０は、映像・音声信号を伝送するために設けられるライン４０ａおよびＨＤＭＩ−ＣＥＣライン４０ｂを有する。
【００４５】
テレビ１に設けられるＨＤＭＩ端子１５とＤＶＤレコーダ３に設けられるＨＤＭＩ端子３３とはＨＤＭＩケーブル４１で接続される。ＨＤＭＩケーブル４１は、映像・音声信号を伝送するために設けられるライン４１ａおよびＨＤＭＩ−ＣＥＣライン４１ｂを有する。
【００４６】
図３は、テレビ１によるテレビ１に接続される機器の電源管理処理手順の一例について説明した流れ図である。
【００４７】
電源管理処理手順を、大きくわけて４つの処理手順に分けて説明する。
【００４８】
テレビ１に設けられるコントローラ１０は、テレビ１に接続されるＤＶＤプレーヤ２、ＤＶＤレコーダ３といった機器が所定の期間に亘ってアクティブソースではない（ノンアクティブソースである）場合に自動的に電源オフにするように設定されているか否かを判断する（ステップＳ１０）。アクティブソースとは、受信側機器であるテレビ１のディスプレイ１８に表示中の映像データを供給する機器のことである。
【００４９】
図４に示される設定画面をディスプレイ８に表示させ、ユーザは"ディスプレイ１８に表示中の映像データを所定の期間に亘って供給しない機器の電源を自動的にオフにする"、"ディスプレイ１８に表示中の映像データを所定の期間に亘って供給しない機器の電源を自動的にオフしない"といった設定を予め行うことが可能である。ユーザによって"ディスプレイ１８に表示中の映像データを所定の期間に亘って供給しない機器の電源を自動的にオフにする"と設定された場合に、コントローラ１０は、ステップＳ１０にて、テレビ１に接続されるＤＶＤプレーヤ２、ＤＶＤレコーダ３といった機器の中で、所定の期間に亘ってアクティブソースではない機器の電源を自動的に電源オフにするように設定されている、と判断する。
【００５０】
処理１：ＨＤＭＩ−ＣＥＣ対応有無確認
テレビ１に設けられるコントローラ１０は、ステップＳ１０にて、テレビ１に接続されるＤＶＤプレーヤ２、ＤＶＤレコーダ３といった機器の中で所定の期間に亘ってアクティブソースではない機器の電源を自動的に電源オフにするように設定されている、と判断した場合（ステップＳ１０Ｙｅｓ）、ＤＶＤプレーヤ２がＨＤＭＩ−ＣＥＣに対応しているか否かを判断する（ステップＳ１００）。
【００５１】
ＨＤＭＩ−ＣＥＣに対応している場合、後述にて詳細に説明するが、テレビ１はＤＶＤプレーヤ２およびＤＶＤレコーダ３に対して、コマンドを用いて、パワーステータスの確認、アクティブソース／ノンアクティブソースであるかの確認、省電力モードへ移行、等の制御を行うことが可能となる。
【００５２】
コントローラ１０が、ＤＶＤプレーヤ２がＨＤＭＩ−ＣＥＣに対応していると判断した場合（ステップＳ１００Ｙｅｓ）、コントローラ１０は、ＤＶＤレコーダ３がＨＤＭＩ−ＣＥＣに対応しているか否かを判断する（ステップＳ１０１）。
【００５３】
コントローラ１０が、ＤＶＤレコーダ３がＨＤＭＩ−ＣＥＣに対応していると判断した場合（ステップＳ１０１Ｙｅｓ）、コントローラ１０は、次に説明するＤＶＤプレーヤ２およびＤＶＤレコーダ３のパワーステータス確認処理を実行する。
【００５４】
処理２：パワーステータス確認
コントローラ１０は、ＤＶＤレコーダ３がＨＤＭＩ−ＣＥＣに対応していると判断した場合（ステップＳ１０１Ｙｅｓ）、コントローラ１０は、ＤＶＤプレーヤ２のパワーステータスがオンであるか否かを判断する（ステップＳ１０２）。
【００５５】
コントローラ１０が、ＤＶＤプレーヤ２のパワーステータスがオンステータスであると判断した場合（ステップＳ１０２Ｙｅｓ）、コントローラ１０は、ＤＶＤレコーダ３のパワーステータスがオンであるか否かを確認する（ステップＳ１０３）。
【００５６】
コントローラ１０が、ＤＶＤレコーダ３のパワーステータスがオンステータスであると判断した場合（ステップＳ１０３Ｙｅｓ）、コントローラ１０は次に説明するＤＶＤプレーヤ２およびＤＶＤレコーダ３がアクティブソースであるか否かを確認する処理を実行する。
【００５７】
処理３：アクティブソース／ノンアクティブソース確認
コントローラ１０は、ＤＶＤレコーダ３のパワーステータスがオンステータスであると判断した場合（ステップＳ１０３Ｙｅｓ）、コントローラ１０は、ＤＶＤプレーヤ２がアクティブソースであるか否かを確認する（ステップＳ１０４）。
【００５８】
コントローラ１０が、ＤＶＤプレーヤ２がアクティブソースであると判断した場合（ステップＳ１０４Ｙｅｓ）、コントローラ１０はＤＶＤレコーダ３がアクティブソースであるか否かを確認する（ステップＳ１０５）。
【００５９】
コントローラ１０が、ＤＶＤレコーダ３がアクティブソースではない、すなわち、ノンアクティブソースであると判断した場合（ステップＳ１０５Ｎｏ）、コントローラ１０は、次に説明するＤＶＤレコーダ３を省電力モードに移行させる処理を実行する。
【００６０】
処理４：省電力モードへの移行処理
コントローラ１０は、ＤＶＤレコーダ３がアクティブソースではないと判断した場合（ステップＳ１０５Ｎｏ）、コントローラ１０は、ＤＶＤレコーダ３が所定の時間に亘ってノンアクティブソースであるか否かを判断する（ステップＳ１０６）。
【００６１】
コントローラ１０が、ＤＶＤレコーダ３が所定の時間に亘ってノンアクティブソースであると判断した場合（ステップＳ１０６）、コントローラ１０は、ＤＶＤレコーダ３のパワーステータスをオンステータスからオンステータスよりも省電力となるステータス（オフステータス、スタンバイステータス）に移行させる（ステップＳ１０７）。
【００６２】
図５は、図３にて"処理１"として説明した処理をさらに詳細に説明した流れ図である。
【００６３】
テレビ１のコントローラ１０は、ＨＤＭＩ−ＣＥＣへの対応有無を確認するためのコマンド（以下、ＨＤＭＩ−ＣＥＣ対応確認コマンドと称す）を、ＨＤＭＩ−ＣＥＣライン４０ｂを介してＤＶＤプレーヤ２に送信する（ステップＳ２００）。
【００６４】
ＤＶＤプレーヤ２のコントローラ２０は、テレビ１から送られてきたＨＤＭＩ−ＣＥＣ対応確認コマンドを受信する（ステップＳ２０１）。
【００６５】
コントローラ２０は、ステップＳ２０１にてＨＤＭＩ−ＣＥＣ対応確認コマンドを受信後、ＤＶＤプレーヤ２がＨＤＭＩ−ＣＥＣに対応しているか否かを判断する（ステップＳ２０２）。
【００６６】
コントローラ２０が、ＤＶＤプレーヤ２がＨＤＭＩ−ＣＥＣに対応していると判断した場合（ステップＳ２０２Ｙｅｓ）、テレビ１に対して、ＨＤＭＩ−ＣＥＣライン４０ｂを介して、ＨＤＭＩ−ＣＥＣに対応していることを通知する（ステップＳ２０３）。
【００６７】
テレビ１のコントローラ１０は、ステップＳ２０３でのＤＶＤプレーヤ２からの通知を受け、ＤＶＤプレーヤ２がＨＤＭＩ−ＣＥＣに対応した機器であることを認識する（ステップＳ２０４）。
【００６８】
テレビ１のコントローラ１０は、ステップＳ２０４における認識後、ＨＤＭＩ−ＣＥＣ対応確認コマンドを、ＨＤＭＩ−ＣＥＣライン４１ａを介してＤＶＤレコーダ３に送信する（ステップＳ２０５）。
【００６９】
ＤＶＤレコーダ３のコントローラ３０は、テレビ１から送られてきたＨＤＭＩ−ＣＥＣ対応確認コマンドを受信する（ステップＳ２０６）。
【００７０】
コントローラ３０は、ステップＳ２０６にてＨＤＭＩ−ＣＥＣ対応確認コマンドを受信後、ＤＶＤレコーダ３がＨＤＭＩ−ＣＥＣに対応しているか否かを判断する（ステップＳ２０７）。
【００７１】
コントローラ３０が、ＤＶＤレコーダ３がＨＤＭＩ−ＣＥＣに対応していると判断した場合（ステップＳ２０７Ｙｅｓ）、テレビ１に対して、ＨＤＭＩ−ＣＥＣライン４１ａを介して、ＨＤＭＩ−ＣＥＣに対応していることを通知する（ステップＳ２０８）。
【００７２】
テレビ１のコントローラ１０は、ステップＳ２０８でのＤＶＤレコーダ３からの通知を受け、ＤＶＤレコーダ３がＨＤＭＩ−ＣＥＣに対応した機器であることを認識する（ステップＳ２０９）。
【００７３】
図６は、図３にて"処理２"として説明した処理をさらに詳細に説明した流れ図である。
【００７４】
ステップＳ２０９後、テレビ１のコントローラ１０は、パワーステータスがオンであるか否かを確認するためのコマンド（以下、パワーステータスオン確認コマンドと称す）を、ＨＤＭＩ−ＣＥＣライン４０ｂを介してＤＶＤプレーヤ２に送信する（ステップＳ３００）。
【００７５】
ＤＶＤプレーヤ２のコントローラ２０は、テレビ１から送られてきたパワーステータスオン確認コマンドを受信する（ステップＳ３０１）。
【００７６】
コントローラ２０は、ステップＳ３０１にてパワーステータスオン確認コマンドを受信後、ＤＶＤプレーヤ２のパワーステータスがオンであるか否かを判断する（ステップＳ３０２）
【００７７】
コントローラ２０が、ＤＶＤプレーヤ２のパワーステータスがオンであると判断した場合（ステップＳ３０２Ｙｅｓ）、テレビ１に対して、ＨＤＭＩ−ＣＥＣライン４０ｂを介して、ＤＶＤプレーヤ２のパワーステータスがオンであることを通知する（ステップＳ３０３）。
【００７８】
テレビ１のコントローラ１０は、ステップＳ３０３でのＤＶＤプレーヤ２からの通知を受け、ＤＶＤプレーヤ２のパワーステータスがオンであることを認識する（ステップＳ３０４）。
【００７９】
コントローラ１０は、ステップＳ３０４における認識後、パワーステータスオン確認コマンドを、ＨＤＭＩ−ＣＥＣライン４１ａを介してＤＶＤレコーダ３に送信する（ステップＳ３０５）。
【００８０】
ＤＶＤレコーダ３のコントローラ３０は、テレビ１から送られてきたパワーステータスオン確認コマンドを受信する（ステップＳ３０６）。
【００８１】
コントローラ３０は、ステップＳ３０６にてパワーステータスオン確認コマンドを受信後、ＤＶＤレコーダ２のパワーステータスがオンであるか否かを判断する（ステップＳ３０７）。
【００８２】
コントローラ３０が、ＤＶＤレコーダ３のパワーステータスがオンであると判断した場合（ステップＳ３０７Ｙｅｓ）、テレビ１に対して、ＨＤＭＩ−ＣＥＣライン４１ａを介して、ＤＶＤレコーダ３のパワーステータスがオンであることを通知する（ステップＳ３０８）。
【００８３】
テレビ１のコントローラ１０は、ステップＳ３０８でのＤＶＤレコーダ３からの通知を受け、ＤＶＤレコーダ３のパワーステータスがオンであることを認識する（ステップＳ３０９）。
【００８４】
図７は、図３にて"処理３"として説明した処理をさらに詳細に説明した流れ図である。
【００８５】
ステップＳ３０９後、テレビ１のコントローラ１０は、アクティブソースであるか否かを確認するためのコマンド（以下、アクティブソース確認コマンドと称す）を、ＨＤＭＩ−ＣＥＣライン４０ｂを介してＤＶＤプレーヤ２に送信する（ステップＳ４００）。
【００８６】
ＤＶＤプレーヤ２のコントローラ２０は、テレビ１から送られてきたアクティブソース確認コマンドを受信する（ステップＳ４０１）。
【００８７】
コントローラ２０は、ステップＳ４０１にてアクティブソース確認コマンドを受信後、ＤＶＤプレーヤ２がアクティブソースであるか否かを判断する（ステップＳ４０２）。
【００８８】
コントローラ２０が、ＤＶＤプレーヤ２がアクティブソースであると判断した場合（ステップＳ４０２Ｙｅｓ）、テレビ１に対して、ＨＤＭＩ−ＣＥＣライン４０ｂを介して、ＤＶＤプレーヤ２がアクティブソースであることを通知する（ステップＳ４０３）。
【００８９】
テレビ１のコントローラ１０は、ステップＳ４０３でのＤＶＤプレーヤ２からの通知を受け、ＤＶＤプレーヤ２がアクティブソースであることを認識する（ステップＳ４０４）。
【００９０】
コントローラ１０は、ステップＳ４０４における認識後、アクティブソース確認コマンドを、ＨＤＭＩ−ＣＥＣライン４１ａを介してＤＶＤレコーダ３に送信する（ステップＳ４０５）。
【００９１】
ＤＶＤレコーダ３のコントローラ３０は、テレビ１から送られてきたアクティブソース確認コマンドを受信する（ステップＳ４０６）。
【００９２】
コントローラ３０は、ステップＳ４０６にてアクティブソース確認コマンドを受信後、ＤＶＤレコーダ２がアクティブソースであるか否かを判断する（ステップＳ４０７）。
【００９３】
コントローラ３０が、ＤＶＤレコーダ３がアクティブソースではないと判断した場合（ステップＳ４０７Ｎｏ）、テレビ１に対して、ＨＤＭＩ−ＣＥＣライン４１ａを介して、ＤＶＤレコーダ３がアクティブソースではないことを通知する（ステップＳ４０８）。
【００９４】
テレビ１のコントローラ１０は、ステップＳ４０８でのＤＶＤレコーダ３からの通知を受け、ＤＶＤレコーダ３がアクティブソースでないことを認識する（ステップＳ４０９）。
【００９５】
図８は、図３にて"処理４"として説明した処理をさらに詳細に説明した流れ図である。
【００９６】
ステップＳ４０９後、テレビ１のコントローラ１０は、ＤＶＤレコーダ３がアクティブソースとなるイベントを検出したかどうかを確認する（ステップＳ５００）。ＤＶＤレコーダ３がアクティブソースとなるイベントとして、例えば、リモコン１７からテレビ１に対して送信された"ＤＶＤレコーダ３にて映像データの再生"といったコマンドの受信、等が考えられる。
【００９７】
コントローラ１０が、ＤＶＤレコーダ３がアクティブソースとなるイベントを検出せずに（ステップＳ５００Ｎｏ）、ステップＳ４０９にてＤＶＤレコーダ１０がアクティブソースでは無いことを認識後、所定の時間が経過した場合（ステップＳ５０１Ｙｅｓ）、コントローラ１０は、アクティブソース確認コマンドを、ＨＤＭＩ−ＣＥＣライン４１ａを介してＤＶＤレコーダ３に送信する（ステップＳ５０２）。
【００９８】
ＤＶＤレコーダ３のコントローラ３０は、テレビ１から送られてきたアクティブソース確認コマンドを受信する（ステップＳ５０３）。
【００９９】
コントローラ３０は、ステップＳ５０３にてパワーステータス確認コマンドを受信後、ＤＶＤレコーダ２がアクティブソースであるか否かを判断する（ステップＳ５０４）。
【０１００】
コントローラ３０が、ＤＶＤレコーダ３がアクティブソースではないと判断した場合（ステップＳ５０４Ｎｏ）、テレビ１に対して、ＨＤＭＩ−ＣＥＣライン４１ａを介して、ＤＶＤレコーダ３がアクティブソースではないことを通知する（ステップＳ５０５）。
【０１０１】
テレビ１のコントローラ１０は、ステップＳ５０５でのＤＶＤレコーダ３からの通知を受け、ＤＶＤレコーダ３がアクティブソースでないことを認識する（ステップＳ５０６）。
【０１０２】
コントローラ１０は、ステップＳ５０６にて、ＤＶＤレコーダ３がアクティブソースではないことを認識した後、ＤＶＤレコーダ３のパワーステータスをオフにするためのコマンド（パワーステータスオフ移行コマンドと称す。）をＤＶＤレコーダ３に送信する（ステップＳ５０７）。
【０１０３】
ＤＶＤレコーダ３のコントローラ３０は、テレビ１から送信されてきたパワーステータスオフ移行コマンドを受信する（ステップＳ５０８）。
【０１０４】
コントローラ３０は、ステップＳ５０８にてパワーステータスオフ移行コマンドを受信した後、ＤＶＤレコーダ３０のパワーステータスをオフにする。
【０１０５】
ステップＳ５０７およびステップＳ５０８にて、ＤＶＤレコーダ３のパワーステータスをオフにするためのコマンドをＤＶＤレコーダ３に送信し、ＤＶＤレコーダ３のパワーステータスをオフにする例を説明したが、これに限定することは無く、たとえば、ＤＶＤレコーダ３のパワーステータスをスタンバイにするためのコマンドをＤＶＤレコーダ３に送信し、ＤＶＤレコーダ３のパワーステータスをスタンバイにするという実施形態であってもよい。
【０１０６】
すなわち、テレビ１に接続されているパワーステータスがオンである機器が一定期間に亘り、ノンアクティブソースである場合、テレビ１は、その機器のパワーステータスをオンステータスよりも省電力となるステータス（オフステータス、スタンバイステータス）に移行させる。
【０１０７】
テレビ１が、ＨＤＭＩ−ＣＥＣを利用して、テレビ１のディスプレイ１８に表示中の映像データを供給していない機器（ノンアクティブソース）の電源をオンステータスよりも省電力であるステータス（オフステータス、スタンバイステータス等）に移行させることで、ノンアクティブソースである機器の消費電力を低減することが可能となる。
【０１０８】
図９は、本発明にかかわる機器群の接続関係の他の実施形態について説明した図である。
【０１０９】
図１を用いて説明した実施形態との違いは、テレビ１にＤＶＤプレーヤ２およびＤＶＤレコーダ３を接続する場合、ＡＶセレクタ５を介して接続する点である。
【０１１０】
ＡＶセレクタ５とテレビ１、ＤＶＤプレーヤ２およびＤＶＤレコーダ３とは、夫々、ＨＤＭＩケーブル４２、ＨＤＭＩケーブル４０およびＨＤＭＩケーブル４１を介して接続される。
【０１１１】
後述にて詳細に説明するが、ＡＶセレクタ５は、ユーザによる選択内容に基づいて、ＤＶＤプレーヤ２とテレビ１とを通信可能にするか、または、ＤＶＤレコーダ３とテレビ１とを通信可能にするように機能する。
【０１１２】
具体的に説明すると、ＡＶセレクタ５によってＤＶＤプレーヤ２とテレビ１とが通信可能状態とされた場合、テレビ１はＤＶＤプレーヤ２にて再生された映像データをＨＤＭＩケーブル４０およびＨＤＭＩケーブル４２を介して受信することが可能となるとともに、ＤＶＤプレーヤ２とテレビ１とはＨＤＭＩ−ＣＥＣコマンドを互いに送受信することが可能となる。
【０１１３】
一方、ＡＶセレクタ５によってＤＶＤレコーダ３とテレビ１とが通信可能状態とされた場合、テレビ１はＤＶＤレコーダ３にて再生された映像データをＨＤＭＩケーブル４１およびＨＤＭＩケーブル４２を介して受信することが可能となるとともに、ＤＶＤレコーダ３とテレビ１とはＨＤＭＩ−ＣＥＣコマンドを互いに送受信することが可能となる。
【０１１４】
図１０は、図９にて示した機器群のハードウェア構成の一例を示す図である。
【０１１５】
まず、ＡＶセレクタ５の構成について説明する。
【０１１６】
ＡＶセレクタ５には、ＨＤＭＩ端子５０、ＨＤＭＩ端子５１およびＨＤＭＩ端子５２が設けられる。ＨＤＭＩ端子５０およびＨＤＭＩ端子５１はスイッチ５３を介してＨＤＭＩ端子５２と接続される。
【０１１７】
ＨＤＭＩ端子５０とＨＤＭＩ端子５２との接続は、スイッチ５３を介して、映像・音声信号を伝送するために設けられるライン５０ａと５２ａとが接続されること、および、ＨＤＭＩ−ＣＥＣライン５０ｂと５２ｂとが接続されることで実現される。
【０１１８】
また、ＨＤＭＩ端子５１とＨＤＭＩ端子５２との接続は、スイッチ５３を介して、映像・音声信号を伝送するために設けられるライン５１ａと５２ａとが接続されること、および、ＨＤＭＩ−ＣＥＣライン５１ｂと５２ｂとが接続されることで実現される。
【０１１９】
ＨＤＭＩ端子５０、ＨＤＭＩ端子５１とＨＤＭＩ端子５２との接続を切り替えるスイッチ５３の制御はコントローラ５４によって行われる。
【０１２０】
次に、ＡＶセレクタ５とテレビ１、ＤＶＤプレーヤ２およびＤＶＤレコーダ３のＨＤＭＩによる接続について説明する。
【０１２１】
テレビ１に設けられるＨＤＭＩ端子１５とＡＶセレクタ５に設けられるＨＤＭＩ端子５２とはＨＤＭＩケーブル４２で接続される。ＨＤＭＩケーブル４２は、映像・音声信号を伝送するために設けられるライン４２ａおよびＨＤＭＩ−ＣＥＣライン４２ｂを有する。
【０１２２】
ＡＶセレクタ５に設けられるＨＤＭＩ端子５０とＤＶＤプレーヤ２に設けられるＨＤＭＩ端子２３とはＨＤＭＩケーブル４０で接続される。ＨＤＭＩケーブル４０は、映像・音声信号を伝送するために設けられるライン４０ａおよびＨＤＭＩ−ＣＥＣライン４０ｂを有する。
【０１２３】
さらに、ＡＶセレクタ５に設けられるＨＤＭＩ端子５１とＤＶＤレコーダ３に設けられるＨＤＭＩ端子３３とはＨＤＭＩケーブル４１で接続される。ＨＤＭＩケーブル４１は、映像・音声信号を伝送するために設けられるライン４１ａおよびＨＤＭＩ−ＣＥＣライン４１ｂを有する。
【０１２４】
このように、テレビ１とＤＶＤプレーヤ２およびＤＶＤレコーダ３とをＡＶセレクタ５を介して接続した場合、テレビ１はＡＶセレクタ５から映像信号が伝送されていることを認識できるが、ＤＶＤプレーヤ２およびＤＶＤレコーダ３のうちの何れかの機器から供給されている映像信号かを認識できない。
【０１２５】
そこで、テレビ１は、ＨＤＭＩ−ＣＥＣラインを介して伝送されるアクティブソース確認コマンドを用いて、テレビ１に映像信号を供給している機器を認識する。
【０１２６】
一例として、ＡＶセレクタ５によってＤＶＤプレーヤ２とテレビ１とが接続されている場合を考える。テレビ１がＡＶセレクタ５に対してアクティブソース確認コマンドを送信することで、ＡＶセレクタ５によって選択されているＤＶＤプレーヤ２がアクティブソースであるか否かを確認する。
【０１２７】
ＤＶＤプレーヤ２がアクティブソースであると判断した場合、ＤＶＤプレーヤ２はテレビ１に対して、ＤＶＤプレーヤ２がアクティブソースであることを通知する。テレビ１は、ＤＶＤプレーヤ２からの通知を受け、ＤＶＤプレーヤ２がアクティブソースであることを認識する。
【０１２８】
このように、ＨＤＭＩ−ＣＥＣコマンドとして準備されるアクティブソースであるか否かを確認するためのコマンドを用いることにより、テレビ１は映像データを供給する機器がどの機器であるかを認識することが可能となる。
【０１２９】
本発明は上記実施形態をそのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示されている全構成要素から幾つかの構成要素を削除してもよい。さらに、異なる実施形態にわたる構成要素を適宜組み合わせてもよい。
【符号の説明】
【０１３０】
１…テレビ、２…ＤＶＤプレーヤ、３…ＤＶＤレコーダ、１５，１６，２３，３３…ＨＤＭＩ端子、４０，４１…ＨＤＭＩケーブル。
【図１】
0005444435.tif 000002
【図２】
0005444435.tif 000003
【図３】
0005444435.tif 000004
【図４】
0005444435.tif 000005
【図５】
0005444435.tif 000006
【図６】
0005444435.tif 000007
【図７】
0005444435.tif 000008
【図８】
0005444435.tif 000009
【図９】
0005444435.tif 000010
【図１０】
0005444435.tif 000011